(57)【特許請求の範囲】
【請求項１】
電源回路を内部に収納している筐体を有する電源アダプタであって、
前記筐体の外面に形成された凹みであり、携帯型機器への電力供給のための電力供給用ケーブル全体を収容可能なサイズを有する第１の凹部と、
前記筐体の内部に設けられ、外部の交流電源と前記電源回路と接続するための電源ケーブルを前記筐体の内部に巻き取る巻き取り機構と、
前記筐体の外面に形成された凹みであり、前記電源ケーブルが前記巻き取り機構によって前記筐体の内部に巻き取られたときに前記電源ケーブルの一端に設けられたプラグを収容可能なサイズを有する第２の凹部と、
を具備する電源アダプタ。
【請求項２】
前記筐体は、前記電源回路を前記内部に収納するよう互いに結合された第１及び第２のケースを有し、
前記第１のケースに、前記第１の凹部が形成され、
前記第２のケースの、前記第１の凹部に対応する位置に、前記外面が前記内部側に凹陥する第３の凹部が形成されている、
請求項１に記載の電源アダプタ。
【発明の詳細な説明】
【技術分野】
【０００１】
本発明は、電源アダプタに関する。
【背景技術】
【０００２】
各種の電気機器・電子機器を駆動する直流電力を得るために、交流電力を所望の電圧値・電流値の直流電力に変換する電源回路を内蔵するＡＣアダプタのような電源アダプタが、広く用いられている。
【０００３】
電源アダプタは、例えば上記のような交流から直流への変換を行う電源回路を内部に収納する筺体を有する。この筺体からは、交流電源又は機器との接続用のケーブルが、それぞれ延出する。なお、ケーブルが筺体から取り外し可能となっているタイプの電源アダプタもある。
【０００４】
例えば特許文献１に記載されている従来の電源アダプタは、筺体に切欠部を形成し、電源ケーブル取付部を切欠部に収容することで、電源ケーブルを筺体に巻き付けるときに急角度で折り曲げられる電源ケーブル取付部の断線を回避する、というものである。
【先行技術文献】
【特許文献】
【０００５】
【特許文献１】特開２０１０−７４９１９号公報
【発明の概要】
【発明が解決しようとする課題】
【０００６】
しかしながら、上記従来の電源アダプタにおいては、不使用時に、電源ケーブルを筐体の周囲に巻き付けることで電源アダプタを収納状態とするため、このとき、電源ケーブルがその全長にわたって筐体から突出する。そのため、例えば電源アダプタを誤って床に落下させたとき等、電源ケーブルが外部からの衝撃を受けて損傷する虞がある。
【０００７】
本発明の目的は、不使用時にケーブルを保護することができる電源アダプタを提供することである。
【課題を解決するための手段】
【０００８】
本発明に係る電源アダプタは、
電源回路を内部に収納している筐体を有する電源アダプタであって、
前記筐体の外面に形成された凹みであり、携帯型機器への電力供給のための電力供給用ケーブル全体を収容可能なサイズを有する第１の凹部と、
前記筐体の内部に設けられ、外部の交流電源と前記電源回路と接続するための電源ケーブルを前記筐体の内部に巻き取る巻き取り機構と、
前記筐体の外面に形成された凹みであり、前記電源ケーブルが前記巻き取り機構によって前記筐体の内部に巻き取られたときに前記電源ケーブルの一端に設けられたプラグを収容可能なサイズを有する第２の凹部と、
を具備する。
【発明の効果】
【０００９】
本発明によれば、電源アダプタの不使用時にケーブルを保護することができる。
【図面の簡単な説明】
【００１０】
【図１】本発明の一実施の形態に係る電源アダプタの上面側を示す斜視図
【図２】本発明の一実施の形態に係る電源アダプタの底面側を示す斜視図
【図３】本発明の一実施の形態に係る電源アダプタの上面図
【図４】本発明の一実施の形態に係る電源アダプタの底面図
【図５】本発明の一実施の形態に係る電源アダプタの使用状態を示す図
【図６】本発明の一実施の形態に係る電源アダプタを手で持った状態を示す図
【発明を実施するための形態】
【００１１】
以下、本発明の実施の形態について、図面を用いて詳細に説明する。
【００１２】
図１〜図４は、本発明の一実施の形態に係る電源アダプタの構成を示す図である。図１は、電源アダプタの上面側を示す斜視図であり、図２は、電源アダプタの底面側を示す斜視図である。また、図３は、電源アダプタの上面図であり、図４は、電源アダプタの底面図である。
【００１３】
図１〜図４に示す本実施の形態の電源アダプタ１は、内部に電源回路（図示せず）を収納する筐体１０を有する。筐体１０は、上部ケース１０Ａと下部ケース１０Ｂとを重ね合わせて互いに結合することにより形成されている。
【００１４】
筐体１０は、一対の主面である上面１１及び底面１２、並びに外周面を成す先端部１３、後端部１４、右端部１５及び左端部１６を有し、全体としては直方体の形状を成している。上記の主面及び外周面は、電源アダプタ１の外面を構成する。
【００１５】
第２のケースとしての上部ケース１０Ａには、上面１１の後端部１４側の部分を筐体１０の内部側に凹陥させた凹部２１（第３の凹部）が形成されている。
【００１６】
また、上部ケース１０Ａには、上面１１と先端部１３と右端部１５との角部を筐体１０の内部側に凹陥させた凹部２２（第２の凹部）が形成されている。
【００１７】
凹部２２を成す面（凹部２２の形成面）には、電源ケーブル３６（図５参照）を挿通可能な開口部（図示せず）が、電源ケーブル３６と筐体１０との接続部（第２の接続部）として形成されている。本実施の形態では、電源ケーブル３６の一端部は、筐体１０の内部に固定されており、電源ケーブル３６は、この開口部を介して筐体１０の外部に延出する。なお、本実施の形態の電源アダプタ１は、電源ケーブル３６を巻き取って筐体１０の内部に収納することができるよう構成されている。巻き取り式の電源ケーブル収納構成については、従来周知の構成を採用可能であるため、ここではその詳細な説明を省略する。
【００１８】
上記開口部は、電源ケーブル３６の他端部に設けられているプラグ３１より小さいサイズを有する。よって、電源アダプタ１の不使用時、電源ケーブル３６を筐体１０内に巻き取ったときに、プラグ３１は凹部２２の形成面に当接するため、この部分のみ筐体１０の外部に延出する。
【００１９】
凹部２２は、電源ケーブル３６を筐体１０内に巻き取ったときに凹部２２の形成面に当接するプラグ３１を収容可能なサイズを有する。そのため、電源アダプタ１の不使用時、プラグ３１が電源アダプタ１の筐体１０の外形から突出しないようにプラグ３１を凹部２２に収容することができる。
【００２０】
第１のケースとしての下部ケース１０Ｂには、底面１２の後端部１４側の部分を筐体１０の内部側に凹陥させた凹部２３（第１の凹部）が形成されている。
【００２１】
凹部２３を成す面（凹部２３の形成面）には、電力供給用ケーブル３２の一端部を筐体１０に取り付けるための取付部３３が、電力供給用ケーブル３２と筐体１０との接続部（第１の接続部）として設けられている。すなわち、本実施の形態では、電力供給用ケーブル３２の一端部は、取付部３３にて筐体１０に固定されており、電力供給用ケーブル３２は、この取付部３３から筐体１０の外部に延出する。なお、図４では、取付部３３付近の部分を除いて電力供給用ケーブル３２の図示を省略している。
【００２２】
凹部２３は、取付部３３から他端部に設けられたコネクタ３４まで例えば数十センチメートルの長さを有する電力供給用ケーブル３２を図２に示すように丸めれば、その全長を収容可能なサイズを有する。そのため、電源アダプタ１の不使用時、電力供給用ケーブル３２が電源アダプタ１の筐体１０の外形から突出しないように電力供給用ケーブル３２を凹部２３に収容することができる。
【００２３】
また、凹部２３には、凹部２３の底部から突出する一対の突起３５が設けられており、これら突起３５間にコネクタ３４を係止することができるため、凹部２３内への電力供給用ケーブル３２の収容状態を確実に維持することができる。また、使用時に、電力供給用ケーブル３２を容易に取り出すことができる。なお、突起３５の高さは、凹部２３の深さよりも低い。
【００２４】
電源アダプタ１の使用時、使用者は、突起３５に係止されているコネクタ３４を取り出して、図５に示すように、主に呼吸器疾患等の患者が自宅外等で用いる携帯型医療用酸素濃縮器４１のような携帯型機器の接続端子に差し込む。これにより、電源アダプタ１を携帯型機器に接続することができる。そして、使用者は、電源アダプタ１内部に巻き取られている電源ケーブル３６を、プラグ３１を引くことにより引き出して、プラグ３１を外部の交流電源に差し込むことにより、電源アダプタ１を交流電源に接続する。これにより、電源アダプタ１は、交流電力から直流電力を得て、これを携帯型機器に供給することができる。携帯型機器にバッテリーパックが接続されている場合には、この直流電力を利用してバッテリーパックの充電を行うようにしても良い。
【００２５】
このように、本実施の形態によれば、電源アダプタ１は、電源アダプタ１の不使用時に筐体１０から外部に延出する電力供給用ケーブル３２（本実施の形態では、電力供給用ケーブル３２の全長）を凹部２３内に収容可能である。そのため、電源アダプタ１の不使用時、電力供給用ケーブル３２を筐体１０の外形から突出させないようにすることができ、外部からの衝撃等により電力供給用ケーブル３２を損傷させる可能性を低減させることができる。また、使用者が、筺体１０から飛び出した電力供給用ケーブル３２に足を引っ掛けたりすることがないため、使用者にとって安全である。
【００２６】
また、電源アダプタ１は、電源アダプタ１の不使用時に筐体１０から外部に延出する電源ケーブル３６（本実施の形態では、電源ケーブル３６のプラグ３１）を凹部２２内に収容可能である。そのため、電源アダプタ１の不使用時、電源ケーブル３６を筐体１０の外形から突出させないようにすることができ、外部からの衝撃等により電源ケーブル３６を損傷させる可能性を低減させることができる。
【００２７】
また、電力供給用ケーブル３２を収容可能な凹部２３と電源ケーブル３６を収容可能な凹部２２とは、互いに異なる位置に形成されている。したがって、電力供給用ケーブル３２と電源ケーブル３６とをそれぞれ収容したときに、これらが絡み合うことを回避することができる。
【００２８】
また、凹部２１、２３は、それぞれ上部ケース１０Ａ、下部ケース１０Ｂにおいて互いに対応する位置に形成されている。そのため、図６に示すように電源アダプタ１を手で持つ場合に、凹部２１、２３の縁を指に掛けることができ、例えば高齢者のように握力が比較的弱くても容易に電源アダプタ１をつかむことができる。したがって、本実施の形態の電源アダプタ１は、携帯型機器、特に携帯型医療用機器と併用する電源アダプタとして適している。
【００２９】
また、本実施の形態では、電力供給用ケーブル３２及び電源ケーブル３６はそれぞれ、一端部が筺体１０に固定された構成であり、筺体１０から取り外し可能ではない。したがって、電力供給用ケーブル３２及び電源ケーブル３６を紛失する虞がなく、或いは紛失予防のためにこれらのケーブルを筺体１０にきつく結び付ける等の必要性もない。したがって、本実施の形態の電源アダプタ１は、医療機器等のように緊急に使用する可能性がある機器と併用する電源アダプタとして適している。
【００３０】
以上、本発明の実施の形態について説明したが、以上の説明は本発明の好適な実施の形態の例証であり、本発明の範囲はこれに限定されるものではない。よって、上記実施の形態は、種々変更して実施可能である。
【符号の説明】
【００３１】
１  電源アダプタ
１０  筐体
１０Ａ  上部ケース
１０Ｂ  下部ケース
１１  上面
１２  底面
１３  先端部
１４  後端部
１５  右端部
１６  左端部
２１、２２、２３  凹部
３１  プラグ
３２  電力供給用ケーブル
３３  取付部
３４  コネクタ
３５  突起
３６  電源ケーブル
【図１】
0005801581.tif 000002
【図２】
0005801581.tif 000003
【図３】
0005801581.tif 000004
【図４】
0005801581.tif 000005
【図５】
0005801581.tif 000006
【図６】
0005801581.tif 000007